(57)【要約】【課題】バッテリの使用状況を監視することによって使用状況に応じた残り使用可能時間をリアルタイムでより正確に予測し、正確な使用可能時間情報を通知すること。【解決手段】ＣＰＵ１０１は、記憶部１０６に記憶した消費電流テーブルを参照して、各動作モードの動作時間に基づいて第１累積バッテリ消費量を求めると共にバッテリ残量テーブルを参照して、前記参照時点のバッテリ電圧と直前のバッテリ充電停止時のバッテリ電圧との差から前記時点の第２累積バッテリ消費量を算出し、第１累積バッテリ消費量と第２累積バッテリ消費量の差が所定範囲内のとき、第１累積バッテリ消費量及び動作時間に基づいて平均消費電流を算出し、バッテリ残量テーブルを参照して得られた前記時点のバッテリ残量と平均消費電流に基づいて残り使用可能時間を算出して表示部１０５に表示する。【選択図】  図１
2010130864.tif 000002
【特許請求の範囲】
【請求項１】
充電可能なバッテリを電源として複数の動作モードで動作する携帯型電子機器のバッテリ監視方法において、
各動作モードの消費電流を表す消費電流テーブルを参照して、前記各動作モードの動作時間に基づいて、累積バッテリ消費量を求める第１工程と、
前記バッテリのバッテリ電圧とバッテリ残量との関係を表すバッテリ残量テーブルを参照して、その時点のバッテリ電圧と直前のバッテリ充電停止時のバッテリ電圧との差から前記時点の累積バッテリ消費量を算出する第２工程と、
前記第１工程で求めた累積バッテリ消費量と前記第２工程で求めた累積バッテリ消費量との差が所定範囲内のとき、前記バッテリ残量テーブルのバッテリ残量に基づいて得られた前記バッテリの残り使用可能量を通知する第３工程とを備えて成ることを特徴とするバッテリ監視方法。
【請求項２】
前記第１工程で求めた累積バッテリ消費量と前記第２工程で求めた累積バッテリ消費量との差が所定範囲内のとき、前記第１工程で求めた累積バッテリ消費量及び動作時間に基づいて平均消費電流を算出する第４工程を有し、
前記第３工程は、前記バッテリ残量テーブルを参照して得られた前記時点のバッテリ残量と前記平均消費電流に基づいて残り使用可能時間を算出して通知することを特徴とする請求項１記載のバッテリ監視方法。
【請求項３】
前記第１工程で求めた累積バッテリ消費量と前記第２工程で求めた累積バッテリ消費量との差が所定範囲外のとき異常を通知する第５工程を備えて成ることを特徴とする請求項２記載のバッテリ監視方法。
【請求項４】
充電可能なバッテリを電源として複数の動作モードで動作する携帯型電子機器において、
前記各動作モードの消費電流を表す消費電流テーブルと、前記バッテリのバッテリ電圧とバッテリ残量との関係を表すバッテリ残量テーブルとを記憶する記憶手段と、
前記消費電流テーブルを参照して、前記各動作モードの動作時間に基づいて、第１累積バッテリ消費量を求めると共に、前記バッテリ残量テーブルを参照して、その時点のバッテリ電圧と直前のバッテリ充電停止時のバッテリ電圧との差から前記時点の第２累積バッテリ消費量を算出するバッテリ消費量算出手段と、
前記第１累積バッテリ消費量と第２累積バッテリ消費量との差が所定範囲内のとき、前記バッテリ残量テーブルのバッテリ残量に基づいて得られた前記バッテリの残り使用可能量を通知する通知手段とを備えて成ることを特徴とする携帯型電子機器。
【請求項５】
前記第１累積バッテリ消費量と第２累積バッテリ消費量との差が所定範囲内のとき、前記第１累積バッテリ消費量及び動作時間に基づいて平均消費電流を算出する消費電流算出手段を有し、
前記通知手段は、前記バッテリ残量テーブルを参照して得られた前記時点のバッテリ残量と前記平均消費電流に基づいて残り使用可能時間を算出して通知することを特徴とする請求項４記載の携帯型電子機器。
【請求項６】
前記通知手段は、前記第１累積バッテリ消費量と第２累積バッテリ消費量との差が所定範囲外のとき異常を通知することを特徴とする請求項５記載の携帯型電子機器。
【請求項７】
請求項１乃至３のいずれか一に記載のバッテリ監視方法をコンピュータに実行させるバッテリ監視プログラム。
【発明の詳細な説明】
【技術分野】
【０００１】
本発明は、充電可能なバッテリを電源として複数の動作モードで動作する携帯型電子機器のバッテリ監視方法、前記携帯型電子機器及び前記バッテリ監視方法をコンピュータに実行させるバッテリ監視プログラムに関する。
【背景技術】
【０００２】
従来から、携帯電話等のバッテリ（一次電池及び二次電池を含む）を電源とする携帯型電子機器が利用されている。
前記携帯型電子機器において、バッテリが、外出中や起床時に携帯型電子機器を正常に駆動可能な電源電圧以下（ローバッテリ）になっていると、前記バッテリを充電する場所や時間が無いために、その後長時間使用できない状態が続き使用者にとっては大きなダメージとなる場合がある。
【０００３】
従来、携帯電話等で用いられているバッテリ残量の通知は、図６のようなアイコン６０１を用いて、３段階〜４段階程度で表示内容を変化することによって通知するものである。
また、カタログ上の表示も連続通話時間と連続待受け時間といった極端な使用条件での時間が書かれているのみで、使用状況によって数百分〜数百時間と違ってくるため残りの使用可能時間を把握し難く、使用者の予想より早くローバッテリとなってしまうことがある。外出先等の充電できない環境でローバッテリになってしまうと、自宅に帰る等して充電できるまで使用できなくなってしまうという問題がある。
【０００４】
一方、バッテリの残量監視等を行うようにした発明が開発されている（例えば特許文献１〜５参照）。
特許文献１には、バッテリ使用時から計測を行い、バッテリ電圧低下検出レベルに達した時点で判定を行うようにした電池残量検出装置が開示されている。特許文献１記載の発明では、リアルタイムに使用可能な残り時間を更新して把握することができないという問題がある。また、バッテリの異常検出に関しても、バッテリ電圧低下検出レベルでしか判定しないため、故障による異常動作の検出には不十分であり、高精度な異常検出ができないという問題がある。
【０００５】
特許文献２には、動作に応じた電池劣化の判定を行うようにした電子機器及び電源部劣化判定方法が開示されているが、特許文献２記載の発明では満充電時をもとにした判定しか行うことができず又、電圧の降下を測定しているため充電中は使用できず、リアルタイムに使用可能な残り時間を正確に把握することができないという問題がある。また、異常検出も劣化によって消費が大きくなる場合のみで故障によって消費が小さくなる場合は想定されておらず、高精度な異常検出ができないという問題がある。
【０００６】
特許文献３には、電池の残り使用可能時間を知らせるようにしたページャが開示されているが、リアルタイムに使用可能な残り時間の正確な把握や、高精度な異常検出ができないという問題がある。また、その機器に特有のハードウェア構成によって電流の消費が大きいデバイスのオン／オフ時間を計測するものであり、携帯電話等のように中央処理装置（ＣＰＵ）が位相ロックループ（ＰＬＬ）によって様々な周波数で動作する多様な携帯型電子機器には使用できないという問題がある。また、充電に対する考慮が無いので計測方法が不十分という問題がある。
【０００７】
また、前記特許文献１〜３記載の発明は、ハードウェアによる判定を行う構成であるため、携帯電話のような様々な使用態様がある電子機器には対応が不十分になるという問題がある。
また、特許文献４、５にもバッテリの状況を検出するようにした発明が開示されているが、正確な残り使用可能時間の測定は困難である。また、バッテリの異常検出を高精度で行うことができないという問題がある。
【０００８】
【特許文献１】特開２００１−２５８１６５号公報
【特許文献２】特開２００８−１８０６４５号公報
【特許文献３】特開平７−１６２９３１号公報
【特許文献４】特開平７−２０３０６１号公報
【特許文献５】特開平９−１８１８０４号公報
【発明の開示】
【発明が解決しようとする課題】
【０００９】
本発明は、上記問題点に鑑み成されたもので、バッテリの使用状況を監視することによって使用状況に応じた残りの使用可能時間をリアルタイムでより正確に予測し、正確な使用可能時間情報を通知できるようにすることを課題としている。
また、本発明は、バッテリの使用状況を監視することによって使用状況に応じた残りの使用可能時間をリアルタイムでより正確に予測し、正確な使用可能時間情報を通知できるようにすると共に、バッテリの異常検出を高精度で行うことを課題としている。
【課題を解決するための手段】
【００１０】
本発明によれば、充電可能なバッテリを電源として複数の動作モードで動作する携帯型電子機器のバッテリ監視方法において、各動作モードの消費電流を表す消費電流テーブルを参照して、前記各動作モードの動作時間に基づいて、累積バッテリ消費量を求める第１工程と、前記バッテリのバッテリ電圧とバッテリ残量との関係を表すバッテリ残量テーブルを参照して、その時点のバッテリ電圧と直前のバッテリ充電停止時のバッテリ電圧との差から前記時点の累積バッテリ消費量を算出する第２工程と、前記第１工程で求めた累積バッテリ消費量と前記第２工程で求めた累積バッテリ消費量との差が所定範囲内のとき、前記バッテリ残量テーブルのバッテリ残量に基づいて得られた前記バッテリの残り使用可能量を通知する第３工程とを備えて成ることを特徴とするバッテリ監視方法が提供される。
【００１１】
第１工程では、各動作モードの消費電流を表す消費電流テーブルを参照して、前記各動作モードの動作時間に基づいて、累積バッテリ消費量を求める。第２工程では、バッテリのバッテリ電圧とバッテリ残量との関係を表すバッテリ残量テーブルを参照して、その時点のバッテリ電圧と直前のバッテリ充電停止時のバッテリ電圧との差から前記時点の累積バッテリ消費量を算出する。第３工程では、前記第１工程で求めた累積バッテリ消費量と前記第２工程で求めた累積バッテリ消費量との差が所定範囲内のとき、前記バッテリ残量テーブルのバッテリ残量に基づいて得られた前記バッテリの残り使用可能量を通知する。
【００１２】
また、本発明によれば、充電可能なバッテリを電源として複数の動作モードで動作する携帯型電子機器において、前記各動作モードの消費電流を表す消費電流テーブルと、前記バッテリのバッテリ電圧とバッテリ残量との関係を表すバッテリ残量テーブルとを記憶する記憶手段と、前記消費電流テーブルを参照して、前記各動作モードの動作時間に基づいて、第１累積バッテリ消費量を求めると共に、前記バッテリ残量テーブルを参照して、その時点のバッテリ電圧と直前のバッテリ充電停止時のバッテリ電圧との差から前記時点の第２累積バッテリ消費量を算出するバッテリ消費量算出手段と、前記第１累積バッテリ消費量と第２累積バッテリ消費量との差が所定範囲内のとき、前記バッテリ残量テーブルのバッテリ残量に基づいて得られた前記バッテリの残り使用可能量を通知する通知手段とを備えて成ることを特徴とする携帯型電子機器が提供される。
【００１３】
記憶手段は、各動作モードの消費電流を表す消費電流テーブルと、前記バッテリのバッテリ電圧とバッテリ残量との関係を表すバッテリ残量テーブルとを記憶している。バッテリ消費量算出手段は、前記消費電流テーブルを参照して、前記各動作モードの動作時間に基づいて、第１累積バッテリ消費量を求めると共に、前記バッテリ残量テーブルを参照して、その時点のバッテリ電圧と直前のバッテリ充電停止時のバッテリ電圧との差から前記時点の第２累積バッテリ消費量を算出する。通知手段は、前記第１累積バッテリ消費量と第２累積バッテリ消費量との差が所定範囲内のとき、前記バッテリ残量テーブルのバッテリ残量に基づいて得られた前記バッテリの残り使用可能量を通知する。
【００１４】
また、本発明によれば、前記バッテリ監視方法をコンピュータに実行させるバッテリ監視プログラムが提供される。
【発明の効果】
【００１５】
本発明に係るバッテリ監視方法によれば、バッテリの使用状況を監視することによって使用状況に応じた残りの使用可能時間をリアルタイムでより正確に予測し、正確な使用可能時間情報を通知することが可能になる。また、バッテリの使用状況を監視することによって使用状況に応じた残りの使用可能時間をリアルタイムでより正確に予測し、正確な使用可能時間情報を通知すると共に、バッテリの異常検出を高精度で行うことが可能になる。
【００１６】
また本発明に係る携帯型電子機器によれば、バッテリの使用状況を監視することによって使用状況に応じた残りの使用可能時間をリアルタイムでより正確に予測し、正確な使用可能時間情報を通知することが可能になる。また、バッテリの使用状況を監視することによって使用状況に応じた残りの使用可能時間をリアルタイムでより正確に予測し、正確な使用可能時間情報を通知すると共に、バッテリの異常検出を高精度で行うことが可能になる。
【００１７】
また、本発明のプログラムによれば、コンピュータに前記バッテリ監視方法を実行させることが可能になる。
【発明を実施するための最良の形態】
【００１８】
以下、本発明の実施の形態に係るバッテリ監視方法、携帯型電子機器及びバッテリ監視プログラムについて説明する。尚、各図において、同一部分には同一符号を付している。
図１は、本発明の実施の形態に係るバッテリ監視方法に使用する携帯型電子機器のブロック図で、充電可能なバッテリを電源として複数の動作モードで動作する携帯型電子機器の一種である携帯電話の例を示している。
【００１９】
図１において、携帯電話１０は、中央処理装置（ＣＰＵ）１０１、バッテリ制御部１０２、バッテリ１０３、端末側充電端子１０４、表示部１０５、記憶部１０６を備えている。また、携帯電話１０は、操作部１０７、送受話部１０８、通信部１０９、アンテナ１１０を備えている。
ＣＰＵ１０１は、記憶部１０６に記憶されたプログラムを実行することにより、携帯電話１０の各構成要素の制御を行う。
【００２０】
また、詳細は後述するが、ＣＰＵ１０１は、記憶部１０６に記憶されたバッテリ監視プログラムを実行することにより、バッテリ制御部１０２の制御、バッテリ１０３の電圧を監視してのバッテリ消費量や残り使用可能時間等の算出処理、表示部１０５に対する残り使用可能時間等のバッテリ情報の表示制御等の一連のバッテリ監視処理を行う。
また、ＣＰＵ１０１は、前記バッテリ監視プログラムを実行することにより、端末側充電端子１０４にＡＣアダプタ２０が接続されるとバッテリ制御部１０２を制御してバッテリ１０３の充電制御を行い、充電終了または充電中止（これらをまとめて充電停止と称する。）となると、再びバッテリ１０３の消費状況の監視等も行う。
【００２１】
バッテリ制御部１０２は、ＣＰＵ１０１の制御に応答して、バッテリ１０３の電圧検出や充電制御等を行う。バッテリ１０３は、携帯電話１０の各構成要素に駆動電力を供給する電源であり、充電可能な二次電池によって構成されている。尚、充電を考慮しない場合には、バッテリ１０３は一次電池を使用することも可能である。
端末側充電端子１０４は交流（ＡＣ）アダプタ２０の電源側端子２１に接続され、バッテリ制御部１０２によってバッテリ１０３の充電が行われる。表示部１０５は液晶表示装置（ＬＣＤ）１０５によって構成されており、バッテリ１０３の使用状況などを表示する。
【００２２】
記憶部１０６は、プログラム記憶領域及びデータ記憶領域を有しており、前記プログラム記憶領域には、ＣＰＵ１０１が動作する手順が記載されたバッテリ監視プログラム等のプログラムを記憶している。ＣＰＵ１０１は、バッテリ監視プログラムに記載された手順に従って、後述するバッテリ監視処理を行う。記憶部１０６のデータ記憶領域には、携帯電話が有する各動作モードの消費電流、バッテリ１０３のバッテリ電圧とバッテリ残量との関係、測定データや時間等のデータが記憶される。
【００２３】
操作部１０７は複数のキースイッチを備えており、使用者によって操作される。送受話部１０８は送話用マイクや受話用スピーカを有している。通信部１０９はアンテナ１１０を介して音声やデータ等の送受信を行う。
ここで、記憶部１０６は記憶手段を構成している。ＣＰＵ１０１は、バッテリ消費量算出手段、消費電流算出手段を構成している。また、ＣＰＵ１０１及び表示部１０５は、通知手段を構成している。
【００２４】
バッテリ消費量算出手段は、消費電流テーブルを参照して、各動作モードの動作時間に基づいて、第１累積バッテリ消費量を求めると共に、バッテリ残量テーブルを参照して、その時点のバッテリ電圧と直前のバッテリ充電停止時のバッテリ電圧との差から前記時点の第２累積バッテリ消費量を算出することができる。
消費電流算出手段は、第１累積バッテリ消費量と第２累積バッテリ消費量との差が所定範囲内のとき、第１累積バッテリ消費量及び動作時間に基づいて平均消費電流を算出することができる。
【００２５】
通知手段は、第１累積バッテリ消費量と第２累積バッテリ消費量との差が所定範囲内のとき、バッテリ残量テーブルのバッテリ残量に基づいて得られたバッテリの残り使用可能量を通知することができる。また、通知手段は、バッテリ残量テーブルを参照して得られた参照時点のバッテリ残量と平均消費電流に基づいて残り使用可能時間を算出して通知することができる。また、通知手段は、第１累積バッテリ消費量と第２累積バッテリ消費量との差が所定範囲外のとき異常を通知することができる。
【００２６】
図２は、携帯電話１０の処理を示すフローチャートで、主にＣＰＵ１０１が記憶部１０６に記憶したバッテリ監視プログラムを実行することにより行うバッテリ監視処理を示している。
図３は、携帯電話１０の動作モードと各動作モードにおける平均消費電流値（モード電流値）とを対応付けた消費電流テーブルである。消費電流テーブルは携帯電話１０の各動作モードの消費電流を表すテーブルである。
【００２７】
本実施の形態に係る携帯電話１０の動作モードとして、待ち受けモード、通話モード、メール作成モード等複数の動作モードがあり、例えば待ち受けモードの平均消費電流は８４ｍＡ、通話モードの平均消費電流は２６０ｍＡ等、各動作モードと平均消費電流が対応付けて前記消費電流テーブルに格納されている。前記消費電流テーブルは記憶部１０６のデータ記憶領域に記憶されている。
【００２８】
図４は、バッテリ１０３のバッテリ電圧とバッテリ残量（％）との関係を示すバッテリ残量テーブルである。図４の例では、バッテリ１０３の端子電圧が４．２００Ｖのときをバッテリ残量１００％、バッテリ１０３の端子電圧が３．４５０Ｖのときをバッテリ残量０％（ローバッテリ）として、それらの間を複数の段階に区分している。前記バッテリ残量テーブルは記憶部１０６のデータ記憶領域に記憶されている。
図５は、表示部１０５の表示態様を示す図である。アイコン５０１内にバッテリ１０３の残り使用可能時間を表示することによって、正確な残り使用可能時間を通知するようにした例である。図５では、残り使用可能時間が２４時間であることが表示されている。
【００２９】
先ず、携帯電話１０のバッテリ監視機能の概要を説明すると、ＣＰＵ１０１は各動作モードでの動作時間を計時し、図３の消費電流テーブルの動作モード毎の平均消費電流値をもとに、各動作モードについての消費電流を積算していく。同時にＣＰＵ１０１は、バッテリ制御部１０２を制御することによりバッテリ１０３の電圧を監視し、図４のバッテリ残量テーブルを参照することにより、バッテリ消費量およびバッテリ残量の計算を行う。
【００３０】
これらの計算結果をもとにＣＰＵ１０１は、バッテリ消費量に異常が無いかどうかの判断および残り使用可能時間の計算を行い、その結果を表示部１０５に表示することによって使用者に通知する。
また、ＣＰＵ１０１は、充電端子１０４にＡＣアダプタ２０の電源側端子２１が接続されると、これを検出して、バッテリ制御部１０２を制御することにより、ＡＣアダプタ２１から供給される直流電力によってバッテリ１０３の充電を行い、充電終了または中止（即ち、充電停止）となると、バッテリ１０３の電圧を測定し消費状況の監視を再開する。
【００３１】
以下、図１〜図５を用いて本発明の実施の形態に係るバッテリ監視方法、携帯型電子機器及びプログラムの動作を詳細に説明する。
携帯電話１０に電源が投入されると、ＣＰＵ１０１は計時動作を開始する（タイムカウントスタート）（Ｓ１０１）。次にＣＰＵ１０１は、動作モードのチェックを行う（Ｓ１０２）。動作モードのチェックでは、現在の動作モードは記憶部１０６から読み出して確認を行い又、動作モードの変更があれば変更された動作モードを確認する。
【００３２】
ＣＰＵ１０１は、動作モードを変更する場合、通常は起動モードから始まって待受けモードに移行し、その後は操作部１０７の動作モード変更操作に応答して、図３の消費電流テーブルに例示したような各種モードに遷移する。
ＣＰＵ１０１は、処理ステップＳ１０２においてモードに変更が無い場合は１分経過するまでモードの変更のチェックを行い（Ｓ１０６）、１分経過すると、前記消費電流テーブルのモード毎の平均消費電流値を利用して、電流の加算（モード電流値×１分）を実施する（ステップＳ１０７）。
【００３３】
ＣＰＵ１０１は、処理ステップＳ１０２においてモードに変更があった場合は変更前のモードでの消費電流の加算（変更前のモード電流値×計時（カウント）時間）を実施し（Ｓ１０３）、新しく起動されたモード即ち変更後のモードを確認し（Ｓ１０４）、変更後のモード電流値を前記消費電流テーブルのモード毎の平均消費電流値から読み込む（Ｓ１０５）。
ここで、処理ステップＳ１０３、Ｓ１０７は、各動作モードの消費電流を表す消費電流テーブルを参照して、前記各動作モードの動作時間に基づいて、累積バッテリ消費量を求める第１工程を構成している。
【００３４】
次にＣＰＵ１０１は、バッテリ制御部１０２を通して充電端子１０４やバッテリ１０３を監視することによって充電状態のチェックを行う（Ｓ１０８〜Ｓ１０９）。即ち、ＣＰＵ１０１は、充電中か否かの確認（ステップＳ１０８）、及び、充電が完了したかあるいは充電が中止されたかの確認（即ち、充電停止か否かの確認）を行う（ステップＳ１０９）。
ＣＰＵ１０１は、ＡＣアダプタ２０が接続され充電中の場合はバッテリ１０３のバッテリ電圧の監視はせず終了確認（Ｓ１１９）に進む。
【００３５】
ＣＰＵ１０１は、充電が終了もしくはＡＣアダプタ２０が外される等により充電が中止された（即ち充電停止された）と判定したときは、判定時点でのバッテリ１０３のバッテリ電圧と時刻（時間情報）を記憶し（Ｓ１１０）、バッテリ１０３の残り使用可能時間の計算を行う（Ｓ１１７）。尚、ＣＰＵ１０１は、バッテリ１０３が充電中か否か、バッテリ１０３の充電が終了もしくは中止されたか否かを、バッテリ１０３の電圧レベル及び充電端子１０４を介して検出した電圧のレベルに基づいて判定する。
【００３６】
ＣＰＵ１０１は、処理ステップＳ１０８において充電中ではないと判定し且つ処理ステップＳ１０９においてバッテリ１０３が充電停止もされていない場合、即ち、バッテリ１０３が充電されていないと判定した場合は、その時点のバッテリ電圧を測定し（Ｓ１１１）、直前の充電停止（充電終了／中止）時の電圧から現在の電圧値を減算することによって降下電圧を計算する（Ｓ１１２）。
【００３７】
次にＣＰＵ１０１は、図４のバッテリ残量テーブルから、直前の充電停止（充電終了／中止）時からのバッテリ消費量を計算する（Ｓ１１３）。
ここで、処理ステップＳ１１３は、バッテリ１０３のバッテリ電圧とバッテリ残量との関係を表すバッテリ残量テーブルを参照して、参照した時点のバッテリ電圧と直前のバッテリ充電停止時のバッテリ電圧との差から前記時点の累積バッテリ消費量を算出する第２工程を構成している。
また、処理ステップＳ１０３、Ｓ１０７、Ｓ１１３は、ＣＰＵ１０１のバッテリ消費量算出手段が行う処理である。
【００３８】
次にＣＰＵ１０１は、処理ステップＳ１０３やＳ１０７で積算された消費電流加算値と比較する（Ｓ１１４）。ＣＰＵ１０１は、比較した結果、両者の差が所定値よりも大きい場合は消費量が異常と判断し（Ｓ１１５）、アラームを表示部１０５に表示することによって使用者に異常を通知し（Ｓ１１６）、動作を終了させる。
ここで、処理ステップＳ１１４〜Ｓ１１６は、前記第１工程で求めた累積バッテリ消費量と前記第２工程で求めた累積バッテリ消費量との差が所定範囲外のとき異常を通知する第５工程を構成している。
【００３９】
前記比較の結果が前記所定値以下（正常な範囲）の場合は累積の消費電流値及び計時した累積の使用時間から平均消費電流を計算し、消費電流と時間との積によって表したバッテリ残量を除算することによって残り使用可能時間を算出し（Ｓ１１７）、表示部１０５に図５のようなアイコン５０１でバッテリ１０３の残り使用可能時間（図５では２４時間）を表示する（Ｓ１１８）。上記動作を電源がオフされるまで継続して繰り返す（Ｓ１１９）。
ここで、処理ステップＳ１１４、Ｓ１１５、Ｓ１１７、１１８は、前記第１工程で求めた累積バッテリ消費量と前記第２工程で求めた累積バッテリ消費量との差が所定範囲内のとき、前記バッテリ残量テーブルのバッテリ残量に基づいて得られた前記バッテリの残り使用可能量を通知する第３工程を構成している。
【００４０】
また、処理ステップＳ１１４、Ｓ１１５、Ｓ１１７は、前記第１工程で求めた累積バッテリ消費量と前記第２工程で求めた累積バッテリ消費量との差が所定範囲内のとき、前記第１工程で求めた累積バッテリ消費量及び動作時間に基づいて平均消費電流を算出する第４工程を構成している。この場合、前記第３工程では、前記バッテリ残量テーブルを参照して得られた前記参照時点のバッテリ残量と前記平均消費電流に基づいて残り使用可能時間を算出して通知することができる。
尚、処理ステップＳ１１４、Ｓ１１５、Ｓ１１７は、ＣＰＵ１０１の消費電流算出手段が行う処理である。また、処理ステップＳ１１４〜Ｓ１１８は、ＣＰＵ１０１の通知手段が行う処理である。
【００４１】
以上説明したように、本発明の実施の形態に係るバッテリ監視方法、携帯型電子機器によれば、バッテリ１０３の使用状況を監視することにより、使用状況に応じた残りの使用可能時間をリアルタイムでより正確に予測し、使用者により正確な使用可能時間情報を通知することが可能になる。また、使用状況に対してバッテリ１０３の消費量がかけ離れている場合に異常を使用者に通知することにより、従来では検出できなかったｍＡ単位の、使用者が通常に使用していても気付かないレベルの異常を検出することが可能になるため、バッテリ１０３の異常検出を高精度で行うことが可能になるという効果を奏する。特に、携帯電話等のローバッテリとなると充電するまで使用できなくなる携帯型電子機器に、より効果的である。
また、本発明の実施の形態によれば、コンピュータに前記バッテリ監視方法を実行させることが可能なバッテリ監視プログラムが提供できる。
【００４２】
尚、前記実施の形態では、図５のように表示部１０５に残り使用可能時間を表示しているが、図２の処理を行う途中で算出されている残り使用可能容量のパーセント表示や現在時刻に残り使用時間を加算した時刻表示の形（使用可能終了時刻）で表示することによって使用者に通知するように構成することも可能である。
また、処理ステップＳ１１７では残り使用可能時間を平均消費電流に基づいて算出したが、現時点における動作モードの消費電流に基づいて残り使用可能時間を算出するようにしてもよい。
【００４３】
また、スピーカを設け、前記異常を音によって通知するように構成してもよい。
また、前記実施の形態では、携帯型電子機器として携帯電話の例で説明したが、ＰＨＳ（Personal Handyphone System）、ＰＤＡ（Personal Data Assistance，Personal Digital Assistants：個人向け携帯型情報通信機器）、ノート型パーソナルコンピュータ等の携帯型電子機器であってバッテリを電源とする電子機器に利用可能である。
【産業上の利用可能性】
【００４４】
携帯電話、ＰＨＳ、ＰＤＡ、ノート型パソコン等のバッテリを電源とする携帯型電子機器に利用可能である。
【図面の簡単な説明】
【００４５】
【図１】本発明の実施の形態に係るバッテリ監視方法に使用する携帯型電子機器のブロック図である。
【図２】本発明の実施の形態における処理を示すフローチャートである。
【図３】本発明の実施の形態において使用する消費電流テーブルを示す図である。
【図４】本発明の実施の形態において使用するバッテリ残量テーブルを示す図である。
【図５】本発明の実施の形態における表示態様を示す図である。
【図６】従来の携帯電話における表示態様を示す図である。
【符号の説明】
【００４６】
１０・・・携帯電話
１０１・・・ＣＰＵ
１０２・・・バッテリ制御部
１０３・・・バッテリ
１０４・・・端末側充電端子
１０５・・・表示部
１０６・・・記憶部
１０７・・・操作部
１０８・・・送受話部
１０９・・・通信部
１１０・・・アンテナ
２０・・・ＡＣアダプタ
２１・・・電源側端子
５０１、６０１・・・アイコン
【図１】
2010130864.tif 000003
【図２】
2010130864.tif 000004
【図３】
2010130864.tif 000005
【図４】
2010130864.tif 000006
【図５】
2010130864.tif 000007
【図６】
2010130864.tif 000008